(57)【特許請求の範囲】
【請求項１】
ワイヤハーネスが挿通される挿通路を有する筒状に形成され、前記挿通路に通した前記ワイヤハーネスの周囲を覆うグロメットへのワイヤハーネスの挿通方法であって、
前記グロメットは、弾性材料から形成され、径の異なる少なくとも二つの筒部を有し、
軸方向への圧縮力によって前記筒部同士の連結箇所が弾性変形し、一方の筒部内に他方の筒部が押し込まれて全長が短縮されるように構成され、
全長が短縮された前記グロメットに、前記ワイヤハーネスを挿通した後に前記筒部を把持して軸方向へ引っ張ることによって、一方の筒部内に押し込まれていた他方の筒部が引き出されて短縮されていた全長が長くされることを特徴とするグロメットへのワイヤハーネスの挿通方法。
【請求項２】
径の異なる前記筒部の少なくとも何れかの筒部が蛇腹形状に形成されていることを特徴とする請求項１に記載のグロメットへのワイヤハーネスの挿通方法。
【発明の詳細な説明】
【技術分野】
【０００１】
本発明は、ワイヤハーネスが通されるグロメットへのワイヤハーネスの挿通方法に関する。
【背景技術】
【０００２】
例えば、車両の車室の内外を仕切る車体パネルにおけるワイヤハーネスが通されるハーネス挿通孔では、このハーネス挿通孔にグロメットを嵌合装着し、このグロメットにワイヤハーネスを通すことにより、防水性を確保しつつワイヤハーネスを保護している（例えば、特許文献１参照）。
【先行技術文献】
【特許文献】
【０００３】
【特許文献１】特開２００９−２０７２９１号公報
【発明の概要】
【発明が解決しようとする課題】
【０００４】
上記のグロメットは、複数個をまとめてダンボール箱に収容して運搬または保管される。ところが、このグロメットは、ワイヤハーネスの周囲を覆いながら延出する筒部を有する長尺形状に形成されているため、ダンボール箱内で嵩張ってしまう。このため、グロメットをダンボール箱へ効率的に収容することが困難であり、よって、運搬コストが嵩んでしまい、また、保管時には大きな保管スペースを要するという問題があった。
【０００５】
また、ワイヤハーネスの配線作業時には、長尺のグロメットへワイヤハーネスを挿通させなければならず、その作業に手間を要していた。
【０００６】
本発明は、上述した事情に鑑みてなされたものであり、その目的は、運搬コスト及び保管スペースの削減を図ることができ、しかも、配線作業の容易化を図ることが可能なグロメットへのワイヤハーネスの挿通方法を提供することにある。
【課題を解決するための手段】
【０００７】
前述した目的を達成するために、本発明に係るグロメットへのワイヤハーネスの挿通方法は、下記（１）または（２）を特徴としている。
（１）  ワイヤハーネスが挿通される挿通路を有する筒状に形成され、前記挿通路に通した前記ワイヤハーネスの周囲を覆うグロメットへのワイヤハーネスの挿通方法であって、
前記グロメットは、弾性材料から形成され、径の異なる少なくとも二つの筒部を有し、
軸方向への圧縮力によって前記筒部同士の連結箇所が弾性変形し、一方の筒部内に他方の筒部が押し込まれて全長が短縮されるように構成され、
全長が短縮された前記グロメットに、前記ワイヤハーネスを挿通した後に前記筒部を把持して軸方向へ引っ張ることによって、一方の筒部内に押し込まれていた他方の筒部が引き出されて短縮されていた全長が長くされること。
（２）  上記（１）の構成のグロメットへのワイヤハーネスの挿通方法において、径の異なる前記筒部の少なくとも何れかの筒部が蛇腹形状に形成されていること。
【０００８】
上記（１）の構成のグロメットへのワイヤハーネスの挿通方法では、軸方向へ圧縮力を付与すると、筒部同士の連結箇所が弾性変形し、一方の筒部内に他方の筒部が押し込まれ、軸方向の全長が短くなる。したがって、嵩張りを極力抑えることができ、複数のグロメットをダンボール箱等へ収容する際の収容効率を高めることができる。よって、複数のグロメットの運搬コスト及び保管スペースの節約を図ることができる。
また、グロメットの全長が短くなることから、ワイヤハーネスの挿通作業の容易化も図ることができ、ワイヤハーネスの配線作業性を向上させることができる。
上記（２）の構成のグロメットへのワイヤハーネスの挿通方法では、蛇腹形状とされた筒部における弾性変形の容易化を図ることができ、軸方向へ容易に圧縮して全長を短縮させることができる。
【発明の効果】
【０００９】
本発明によれば、運搬コスト及び保管スペースの削減を図ることができ、しかも、配線作業の容易化を図ることが可能なグロメットへのワイヤハーネスの挿通方法を提供できる。
【００１０】
以上、本発明について簡潔に説明した。更に、以下に説明される発明を実施するための形態を添付の図面を参照して通読することにより、本発明の詳細は更に明確化されるであろう。
【図面の簡単な説明】
【００１１】
【図１】本実施形態に係るグロメットの斜視図である。
【図２】本実施形態に係るグロメットの断面図である。
【図３】本実施形態に係るグロメットを圧縮した状態の断面図である。
【発明を実施するための形態】
【００１２】
以下、本発明に係る実施の形態の例を、図面を参照して説明する。
【００１３】
図１は本実施形態に係るグロメットの斜視図、図２は本実施形態に係るグロメットの断面図、図３は本実施形態に係るグロメットを圧縮した状態の断面図である。
【００１４】
図１及び図２に示すように、本実施形態に係るグロメット１１は、ゴム等の弾性材料から一体成型されたもので、全体として筒状に形成され、内部にワイヤハーネスＷが挿通される挿通路１２を有している。
【００１５】
このグロメット１１は、車体パネル１に形成されたハーネス挿通孔２へ嵌合装着される本体筒部（筒部）１３を有している。本体筒部１３は、平面視円形に形成されており、その外周には、車体パネル１に密着するフランジ部１５が形成されている。
【００１６】
また、本体筒部１３は、車体パネル１のハーネス挿通孔２への装着側と反対側に、保護筒部（筒部）１９を有している。この保護筒部１９は、蛇腹形状に形成されて可撓性を有している。
【００１７】
この保護筒部１９における本体筒部１３と反対側の端部には、筒状の接続筒部（筒部）２１が設けられている。この接続筒部２１は、先端へ向かって次第に窄まる先細り形状に形成されている。
【００１８】
また、本体筒部１３には、車体パネル１のハーネス挿通孔２への装着側に、筒状の引き出し部２３が形成されている。
【００１９】
グロメット１１には、接続筒部２１、保護筒部１９、本体筒部１３及び引き出し部２３を通る挿通路１２にワイヤハーネスＷが挿通される。そして、このグロメット１１の本体筒部１３を車体パネル１のハーネス挿通孔２へ嵌め込むことにより、ハーネス挿通孔２での防水性が確保される。
【００２０】
また、グロメット１１の接続筒部２１は、プロテクタ３１の連結部３２に連結される。このプロテクタ３１は、例えば、プラスチック等の合成樹脂から成形されたもので、その内部にワイヤハーネスＷが挿通される。このプロテクタ３１は、車両のフレーム等に固定され、よって、このプロテクタ３１に挿通されて収容されたワイヤハーネスＷは、プロテクタ３１によって保護された状態で車両のフレーム等に支持される。
【００２１】
上記構造のグロメット１１では、本体筒部１３、保護筒部１９及び接続筒部２１の径がそれぞれ異なっている。具体的には、保護筒部１９が本体筒部１３よりも小径に形成され、接続筒部２１が保護筒部１９よりも小径に形成されている。
【００２２】
そして、このグロメット１１に対して軸方向に圧縮力を付与すると、図３に示すように、本体筒部１３と保護筒部１９との連結箇所及び保護筒部１９と接続筒部２１との連結箇所が弾性変形し、本体筒部１３内に、この本体筒部１３よりも小径の保護筒部１９が押し込まれるとともに、保護筒部１９内に、この保護筒部１９よりも小径の接続筒部２１が押し込まれる。
【００２３】
これにより、グロメット１１は、本体筒部１３への保護筒部１９の入り込み及び保護筒部１９への接続筒部２１の入り込みの分だけ軸方向の全長が短くされる。
【００２４】
このように、上記実施形態に係るグロメットによれば、軸方向へ圧縮力を付与すると、本体筒部１３と保護筒部１９との連結箇所及び保護筒部１９と接続筒部２１との連結箇所が弾性変形し、本体筒部１３内に保護筒部１９が押し込まれるとともに、保護筒部１９内に接続筒部２１が押し込まれ、よって、軸方向の全長が短くなる。したがって、グロメット１１の嵩張りを極力抑えることができ、複数のグロメット１１をダンボール箱等へ収容する際の収容効率を高めることができる。よって、複数のグロメット１１の運搬コスト及び保管スペースの節約を図ることができる。
【００２５】
また、グロメット１１の全長が短くなることから、ワイヤハーネスＷの挿通作業の容易化も図ることができ、ワイヤハーネスＷの配線作業性を向上させることができる。
【００２６】
また、保護筒部１９が蛇腹形状とされているので、この蛇腹形状とされた保護筒部１９における弾性変形の容易化を図ることができ、軸方向へ容易に圧縮して全長を短縮させることができる。
【００２７】
なお、ワイヤハーネスＷをグロメット１１へ挿通させた後は、本体筒部１３と接続筒部２１とを把持して引っ張る。このようにすると、本体筒部１３に押し込まれていた保護筒部１９を容易に引き出し、また、保護筒部１９に押し込まれていた接続筒部２１を容易に引き出すことができる。
【００２８】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【符号の説明】
【００２９】
１１  グロメット
１２  挿通路
１３  本体筒部（筒部）
１９  保護筒部（筒部）
２１  接続筒部（筒部）
Ｗ  ワイヤハーネス
【図１】
0005952527.tif 000002
【図２】
0005952527.tif 000003
【図３】
0005952527.tif 000004